(57)【要約】【課題】手術後に切断することなく患者から円滑に取り除くことができるとともに繰り返しの使用が可能であって、なおかつ手術時の清潔状態を良好に保つことができるサージカルドレープを得る。【解決手段】平布にて形成したドレープ本体1に患部を露出可能とする開口部2を配置したものにおいて、この開口部2からドレープ本体1の一辺14まで連続した切り込みを設けることにより、一方片3と他方片4とから成る一対の対向する片を形成し、上記一方片3の端縁を開口可能な袋状に形成して袋状端縁5とし、この袋状端縁5内に、上記他方片4の端縁である挿入端縁6を挿入配置した状態で、この挿入端縁6と袋状端縁5とを接続部材7によって着脱自在に接続可能とする。【選択図】図１
0003179752.tif 000002
【実用新案登録請求の範囲】
【請求項１】
平布にて形成したドレープ本体に患部を露出可能とする開口部を配置したものにおいて、この開口部からドレープ本体の一辺まで連続した切り込みを設けることにより、一方片と他方片とから成る一対の対向する片を形成し、上記一方片の端縁を他方片側に開口可能な袋状に形成して袋状端縁とし、この袋状端縁内に、上記他方片の端縁である挿入端縁を挿入配置した状態で、この挿入端縁と袋状端縁とを接続部材によって着脱自在に接続可能としたことを特徴とするサージカルドレープ。
【請求項２】
接続部材は、挿入端縁の表面及び袋状端縁の内面に、それぞれ対向して固定配置したことを特徴とする請求項１のサージカルドレープ。
【考案の詳細な説明】
【技術分野】
【０００１】
本考案は、手術の際に患者に被覆するサージカルドレープに関するものである。
【背景技術】
【０００２】
従来より、サージカルドレープは、手術の際に患者の患部外周を被覆するものであって、術野の清潔の保持、患者の血液や体液等の飛散による感染防止等のために使用されている。
【０００３】
そして従来のサージカルドレープは、平布にて形成したドレープ本体に患部を露出可能とする開口部を配置したものであって、術野の清潔を保ちながら開口部を介して施術を行うものである。尚、場合によっては開口部を介して患部にカテーテル等を挿入する処置がとられることもある。
【先行技術文献】
【特許文献】
【０００４】
【特許文献１】実開平６−５２８０８号公報
【考案の開示】
【考案が解決しようとする課題】
【０００５】
しかしながら、上記の如くサージカルドレープの開口部を介してカテーテル等を患部に挿入した場合には、このカテーテルの存在によって患者からサージカルドレープを取り除くことが困難となる。また、術野の清潔を保つために、サージカルドレープを患者から取り除く際には、手術中に付着したサージカルドレープの不潔部分や血液や組織等が術野を通過又は接触しないよう細心の注意を払う必要がある。
【０００６】
また、手術中の術式変更で止むを得ず拡大手術となり開口部を広げる必要が生じた場合には、従来はサージカルドレープを切断して開口部を広げるか、あるいはより広い開口部を設けたサージカルドレープと交換する必要があった。しかし、開口部を広げるためにサージカルドレープを切断した場合には、繰り返しの使用が困難となる。また、より広い開口部のサージカルドレープと交換する場合には、それまで使用していたサージカルドレープを患者から取り除く際に、上述の如く手術中に付着したサージカルドレープの不潔部分や血液や組織等が術野を通過又は接触するおそれがあった。
【０００７】
また、上述の如く手術中に付着したサージカルドレープの不潔部分や血液や組織等が術野を通過又は接触する事態を回避するために、従来より特許文献１に示す如く予めサージカルドレープに形成したミシン目を手術後に切断したり、サージカルドレープを直接はさみで切断する等して患者からサージカルドレープを取り除く作業が行われていた。
【０００８】
しかしながら、上記の如くサージカルドレープを切断してしまうと、サージカルドレープを繰り返し使用することができなくなるためコストが高くつくものとなっていた。また、特許文献１に示す如くサージカルドレープにミシン目を入れた場合には、患部からサージカルドレープの表面に流出した患者の体液や血液がミシン目から再び患者側に流入する可能性があり衛生面で問題が生じるおそれがあった。
【０００９】
そこで、本考案は上述の如き課題を解決しようとするものであって、手術後に患者から円滑に取り除くことができるとともに繰り返しの使用が可能であり、なおかつ手術時の清潔状態を良好に保つことができるサージカルドレープを得ようとするものである。
【課題を解決するための手段】
【００１０】
本考案は上述の如き課題を解決するため、平布にて形成したドレープ本体に患部を露出可能とする開口部を配置したものにおいて、この開口部からドレープ本体の一辺まで連続した切り込みを設けることにより、一方片と他方片とから成る一対の対向する片を形成し、上記一方片の端縁を他方片側に開口可能な袋状に形成して袋状端縁とし、この袋状端縁内に、上記他方片の端縁である挿入端縁を挿入配置した状態で、この挿入端縁と袋状端縁とを接続部材によって着脱自在に接続可能としたものである。
【００１１】
また接続部材は、挿入端縁の表面及び袋状端縁の内面に、それぞれ対向して固定配置したものであってもよい。
【考案の効果】
【００１２】
本考案は上述の如く構成したものであるから、手術後に切断することなくサージカルドレープを患者からスムーズに取り除くことができるため、作業を効率的に行うことができるとともに、繰り返しの使用が可能となりコストを低く抑えることができる。
【００１３】
また、上記の如く袋状端縁の内部に挿入端縁を挿入配置して袋状端縁と挿入端縁とを接続するものであるから、一方片と他方片との接続部において袋状端縁と挿入端縁とが交互に配置されるものとなる。そのため、この接続部において、外部又は内部からの血液、体液や生理食塩水等、液体の流出入を防ぐことが可能となり、術野の清潔を良好に保つことができる。
【００１４】
また、開口部からドレープ本体の一辺まで連続した切り込みを設けるとともに一方片の挿入端縁と他方片の袋状端縁とを接続部材によって着脱自在に接続可能としたものであるから、開口部から連続して一方片と他方片とを離反方向に配置することにより、開口部から開口領域を更に広げることが可能となる。
【００１５】
そのため、サージカルドレープを切断することなく開口領域を広げることができることから、サージカルドレープの繰り返しの使用が可能となるとともに、サージカルドレープを交換する必要がなく術野の清潔を確実に保持することができ、また交換のための手間がかからず手術を効率的に行うことができる。
【図面の簡単な説明】
【００１６】
【図１】本考案の実施例１において、袋状端縁及び挿入端縁を示す部分拡大平面図。
【図２】実施例１の袋状端縁と挿入端縁との係合状態を示す部分拡大断面図。
【図３】実施例２の袋状端縁と挿入端縁との係合状態を示す部分拡大断面図。
【図４】実施例３の袋状端縁と挿入端縁との係合状態を示す部分拡大断面図。
【図５】実施例４の袋状端縁と挿入端縁との係合状態を示す部分拡大断面図。
【実施例１】
【００１７】
本考案の実施例１について説明すると、(１)はドレープ本体であって、平布にて形成したものである。そして、図１に示す如くドレープ本体(1)に患部を露出可能とする開口部(2)を配置し、この開口部(2)からドレープ本体(1)の一辺(14)まで連続した切り込みを設けている。このように切り込みを設けることにより、一方片(3)と他方片(4)とから成る一対の対向する片が形成される。
【００１８】
そして、図１、２に示す如く上記一方片(3)の端縁を、他方片(4)側に開口可能な袋状に形成して袋状端縁(5)としている。また、上記他方片(4)の端縁を挿入端縁(6)とし、この挿入端縁(6)を袋状端縁(5)に挿入可能としている。
【００１９】
また、上記一方片(3)及び他方片(4)にはそれぞれ接続部材(7)として一方スナップ(8)及び他方スナップ(10)を複数個取り付けている。即ち、図１に示す如く、他方片(4)の挿入端縁(6)の表面(12)に他方スナップ(10)を５個等間隔に配置するとともに、一方片(3)の袋状端縁(5)において、上記挿入端縁(6)の他方スナップ(10)配置面に対向する内面(13)に、一方スナップ(8)を上記他方スナップ(10)の各対向位置に５箇所設けている。
【００２０】
尚、上記各スナップ(8)(10)は電気メスによる熱傷の影響を防ぐため、金属製のものを使用する場合は直接患者の皮膚に触れない位置で係合する構成とする必要がある。また、各スナップ(8)(10)の間隔は、各スナップ(8)(10)が係合された状態で手術中にサージカルドレープが引っ張られた際に、袋状端縁(5)と挿入端縁(6)との間に隙間が形成されることなく患者の術野以外の不潔部分が見えにくい間隔にする必要がある。
【００２１】
そして上記袋状端縁(5)内に挿入端縁(6)を挿入配置した状態で、図２に示す如く挿入端縁(6)の他方スナップ(10)と袋状端縁(5)の一方スナップ(8)とを係合する。これにより、挿入端縁(6)と袋状端縁(5)とを着脱自在に接続することができる。上記の如く袋状端縁(5)と挿入端縁(6)とを接続することにより、袋状端縁(5)と挿入端縁(6)とが交互に配置されるものとなる。そのため、挿入端縁(6)と袋状端縁(5)との接続部(11)においてサージカルドレープの外部又は内部からの血液や体液等の流出入を防ぐことが可能となり、術野の清潔を良好に保つことができる。
【００２２】
また手術後には、挿入端縁(6)の他方スナップ(10)と袋状端縁(5)の一方スナップ(8)の係合を解除し、サージカルドレープを患者から取り除く。そのため、開口部(2)を介して患部にカテーテル等が挿入されている場合でも、サージカルドレープを切断することなくカテーテルを挿入した状態で患者から容易に取り除くことができる。
【００２３】
また、一方スナップ(8)と他方スナップ(10)との係合を解除して一方片(3)と他方片(4)とを大きく拡開させて分離することにより、手術中にサージカルドレープに付着した血液や組織等が術野に接触することなくサージカルドレープを患者から取り除くことができるため、術野の清潔を確実に保持することが可能となる。従って、手術後、あるいは手術中に術式変更を行う場合でも、サージカルドレープを取り除く作業を効率的に行うことができ、手術を円滑に進めることが可能となる。
【００２４】
また、挿入端縁(6)の他方スナップ(10)と袋状端縁(5)の一方スナップ(8)とを係合した状態で手術を行っている際に、開口部(2)側から他方スナップ(10)と一方スナップ(8)の係合を一部解除し、分離した一方片(3)と他方片(4)とを広げて配置することにより、開口部(2)の開口領域を更に広げることが可能となる。
【００２５】
このようにドレープ本体(1)を切断することなく開口部(2)の開口領域を広げることができることから、使用したサージカルドレープの繰り返しの使用が可能となるとともに、サージカルドレープを交換する必要がなく術野の清潔を確実に保持することができ、また交換のための手間がかからず手術を効率的に行うことができる。
【実施例２】
【００２６】
また、上記実施例１では図２に示す如く、他方片(4)と挿入端縁(6)とを別布にて形成するとともに両者をバイアステープ(16)を介して連結しているが、本実施例２では図３に示す如く、他方片(4)と挿入端縁(6)とを一枚の布にて一体に形成している。
【実施例３】
【００２７】
また本実施例３では図４に示す如く、他方片(4)と挿入端縁(6)とを別布にて形成するとともに、バイアステープ(16)を介することなく両者を縫い合わせることにより連結している。
【実施例４】
【００２８】
また、上記実施例１〜３では挿入端縁(6)の上面と、この挿入端縁(6)の上面に対向する袋状端縁(5)の内面にそれぞれ接続部材(7)を設けているが、本実施例４では、挿入端縁(6)の下面と、この挿入端縁(6)の下面に対向する袋状端縁(5)の内面にそれぞれ接続部材(7)を設けている。
【００２９】
また、この挿入端縁(6)に袋状端縁(5)の底面(15)側まで延びた延設部(17)を設け、挿入端縁(6)によって袋状端縁(5)の底面(15)側まで被覆している。上記の如く挿入端縁(6)に袋状端縁(5)の底面(15)側まで被覆可能とする延設部(17)を設けることにより、上記実施例１〜３よりも更に袋状端縁(5)と延設部(17)との重なりが増えるため、血液や体液等を内方の患者側に更に流出しにくいものとすることができる。
【００３０】
尚、本実施例では接続部材(7)としてスナップを使用したが、他の異なる実施例ではこれに限らず、接続部材として面ファスナー、線ファスナー、両面テープ等を使用することもできる。
【符号の説明】
【００３１】
１  ドレープ本体 
２  開口部
３  一方片
４  他方片
５  袋状端縁
６  挿入端縁
７  接続部材
１２  表面
１３  内面
１４  一辺
【図１】
0003179752.tif 000003
【図２】
0003179752.tif 000004
【図３】
0003179752.tif 000005
【図４】
0003179752.tif 000006
【図５】
0003179752.tif 000007